(57)【要約】      （修正有）【課題】電源を必要とせずに外耳を照射し、安全に耳垢を掻き出すことが可能な耳かき具を提供する。【解決手段】柄部３と、柄部３の一端に形成される耳垢を掻き出すための先端部２と、からなる棒状の耳かき具１は、柄部３に、発光体Ａが内包されている。【選択図】図１
0003170598.tif 000002
【実用新案登録請求の範囲】
【請求項１】
柄部と、該柄部の一端に形成される耳垢を掻き出すための先端部と、からなる棒状の耳かき具であって、
前記柄部には、発光部材が内包されていること
を特徴とする耳かき具。
【請求項２】
請求項１に記載の耳かき具であって、
前記柄部と、前記先端部とが一体に形成され、
前記発光部材以外は、外気よりも高屈折率を有する透光性の導光部材からなること
を特徴とする耳かき具。
【請求項３】
請求項１または２に記載の耳かき具であって、
前記柄部の少なくとも一部が、前記導光部材よりも低屈折率を有する被膜部材で覆われていること
を特徴とする耳かき具。
【請求項４】
柄部と、該柄部の一端に形成される耳垢を掻き出すための先端部と、からなる棒状の耳かき具であって、
前記柄部は、
発光部材からなる発光部と、
前記先端部と一体に形成され、該先端部とは逆側の一端を発光部と接する導光部と、を備え、
前記導光部は、外気よりも高屈折率を有する透光性の導光部材からなること
を特徴とする耳かき具。
【請求項５】
請求項４に記載の耳かき具であって、
前記先端部の少なくとも一部に、導光部からの光を散乱させる微細な凸凹が設けられた光散乱部が形成されていること
を特徴とする耳かき具。
【請求項６】
請求項４または５に記載の耳かき具であって、
前記発光部は、複数の発光部材を束ねて形成されていること
を特徴とする耳かき具。
【請求項７】
請求項４から６の何れか一項に記載の耳かき具であって、
前記導光部は、前記発光部と接する面の径が最大となるよう形成されていること
を特徴とする耳かき具。
【請求項８】
請求項４から７の何れか一項に記載の耳かき具であって、
前記発光部は、前記導光部とは逆側の一端に凸状曲面状の受光面を有する集光部が形成されていること
を特徴とする耳かき具。
【請求項９】
請求項８に記載の耳かき具であって、
前記受光面を除いた前記柄部の少なくとも一部が、内側に鏡面構造を有する反射ミラーで覆われていること
を特徴とする耳かき具。
【請求項１０】
請求項４から請求項９の何れか一項に記載の耳かき具であって、
前記発光部と導光部とは、互いに着脱可能に形成されていること
を特徴とする耳かき具。
【請求項１１】
請求項１から１０の何れか一項に記載の耳かき具であって、
前記発光部材は、蓄光部材、蛍光部材、及び、その混合部材の少なくとも何れかであること
を特徴とする耳かき具。
【考案の詳細な説明】
【技術分野】
【０００１】
本考案は、外耳道を照らし、外耳道の耳垢を掻き出す耳かき具に関する。
【背景技術】
【０００２】
現在、多くの機能性の備えた耳かき具がある。例えば、特許文献１には、耳かき先端をＬＥＤで照明し、相手の外耳道内の耳垢を見ながら耳かきを行うことが可能な耳かき具が開示されている。
【先行技術文献】
【特許文献】
【０００３】
【特許文献１】特開２００２−２３８７９６号公報
【考案の概要】
【考案が解決しようとする課題】
【０００４】
しかしながら、ＬＥＤや電球で照明するものは電源が必要である。これには、ボタン電池等を利用することが可能であるが、その場合、いざ使用する際に電池が無くなっていて使用できないということが起こりうる上、交換の手間がかかる。また、電池を取り付けるスペースが必要であるため、構造が複雑化すると共に、形状も大きくなる。また環境問題を考えると、電池の使用は避けることが望ましい。さらに、直線状の硬質プラスチックからなる光誘導部の先に匙状の先端を構成するために、外耳道を傷つけやすく、折れやすいという問題があった。
【０００５】
そこで本考案は、電源を必要とせずに外耳を照射し、安全に耳垢を掻き出すことが可能な耳かき具を提供することを目的とする。
【課題を解決するための手段】
【０００６】
上記課題を解決するために、本考案に係る耳かき具は、柄部と、該柄部の一端に形成される耳垢を掻き出すための先端部と、からなる棒状の耳かき具であって、前記柄部には、発光部材が内包されていることを特徴とする。
【考案の効果】
【０００７】
本考案によれば、電源を必要とせずに外耳を照射し、安全に耳垢を掻き出すことが可能な耳かき具を提供できる。
【図面の簡単な説明】
【０００８】
【図１】本考案の第一の実施形態に係る耳かき具１の平面図である。
【図２】本考案の第一の実施形態の変形例１に係る耳かき具１ａの断面図である。
【図３】本考案の第二の実施形態に係る耳かき具１ｂの断面図である。
【図４】本考案の第二の実施形態の変形例２に係る耳かき具１ｃの断面図である。
【図５】本考案の第二の実施形態の変形例３に係る耳かき具１ｄの断面図である。
【図６】本考案の第二の実施形態の変形例４に係る耳かき具１ｅの断面図である。
【図７】（ａ）本考案の変形例５に係る耳かき具１ｆの平面図である。（ｂ）耳かき具１ｇの分解図である。
【図８】（ａ）本考案の変形例６に係る耳かき具１ｇの平面図である。（ｂ）耳かき具１ｇの分解図である。
【考案を実施するための形態】
【０００９】
本考案の実施の形態について、以下、図に基づいて説明する。
【００１０】
＜第一の実施形態＞
本考案の実施の形態について、以下、図面を参照しながら説明する。
【００１１】
図１は、本考案の第一の実施形態に係る耳かき具１の平面図である。
【００１２】
図１に示すように、耳かき具１は、略棒状の柄部３と、該柄部３の一端に形成される匙状に湾曲した先端部２と、を有している。また、柄部３の略中心から先端部２とは逆の他端にかけて、発光体Ａが内包された発光部４が形成されている
【００１３】
発光体Ａは、電源を要さずに発光可能な棒状の発光部材である。該発光体Ａには、発光可能な部材であればどのようなものを用いてもよいが、例えば、受光エネルギーを利用して燐光作用を有する蓄光部材が挙げられる。畜光部材としては、例えばアルミン酸ストロンチウム（ＳｒＡｌ２Ｏ４）や硫化亜鉛（ＺｎＳ）等の畜光物質を、混合・塗布した樹脂や硝子等の材料が利用できる。もちろん、発光部材に、蛍光作用を有する蛍光部材を用いてもよく、蓄光部材と蛍光部材を混合した混合部材としてもよい。
【００１４】
また、柄部３は、長手方向の略中心から先端部２側へと徐々に細くなるよう形成された導光部５を有し、発光体Ａからの光を先端部２の方向へと導く。よって、このような導光部５には、透光性と高屈折率を有する素材が用いられる。特に、外気よりも高い屈折率を有する素材を用いることで、その境界面（外周面）で臨界角以上の入射光を全反射させることが可能となる。このような素材としては例えば、プラスチック樹脂（アクリル、ポリカポネート、ポリプロピレン、エラストマ等）や、シリコンゴムが挙げられる。なお、ここでは発光体Ａを除く部分を一体に形成した構成としているため、発光体Ａ以外はすべてこのような素材で形成されているものとする。以下、このような部材を、導光部材と称する。
【００１５】
具体的に、導光部５は、発光体Ａから入射された入射光を透過及び境界面（外周面）で反射及び全反射し、先端部２の方向へと誘導する。また、先端部２の匙状の底面には細かな凸凹が施された散乱部８が形成され、ここへ達した光を乱反射する。よって、例えば入射光ａは、導光部５を透過して先端部２に達すると、散乱部８にぶつかって乱反射し、散乱光ａａとなって耳内を照らす。
【００１６】
なお、導光部材に高屈折率を有する材料を使用するほど、内部での全反射と光の誘導率が高まるため、より高い強い光で耳内を照射できる。特にシリコンゴムは、高度の透明度とある程度の柔軟性を兼ね備えるため、耳を痛めにくく好ましい素材である。具体的には、ポリプロピレン樹脂やアクリル樹脂で芯材を成型し、周囲をシリコンゴムで形成する事により、芯があり、周囲は柔らかい先端部とする事が出来る。
【００１７】
＜変形例１＞
図２は、本考案の第一の実施形態の変形例１に係る耳かき具１ａの断面図である。以下、上述の実施形態と同様の構成を有するものについては同様の符号を付し、詳細な説明は省略する。
【００１８】
図２に示すように、耳かき具１ａは、柄部３の外周面の７割程度（発光部４と導光部５の一部）を覆う導光被膜１０が設けられている点で、前記耳かき具１とは異なる。
【００１９】
導光被膜１０は、透光性を備え、導光部材よりも低い屈折率を有する素材（例えば、透明シリコンゴム）からなる部材からなり、これを柄部３に貼付、又は単に被せることによって形成される。
【００２０】
このような導光被膜１０は、自らよりも高い屈折率を有する導光部材からの臨界角以上の入射光を全反射し、先端部２へと誘導する。従って、導光被膜１０を利用者が指で摘んで使用する場合でも、入射光ａ′を全反射して発光体Ａからの光を先端部２へと効率よく導くことが可能となる。
【００２１】
＜第二の実施形態＞
図３は、本考案の第二の実施形態に係る耳かき具１ｂの断面図である。図３に示すように、耳かき具１ｂは、全体が発光体Ａと同様の蓄光部材からなる発光部４ａを有し、柄部３の長手方向の中心付近外周面を覆う反射ミラー９を有している点で、第一の実施形態とは異なる。なお、このような発光部４ａは、一体に形成される先端部２及び導光部５とは別の部材として設けられており、導光部と端部どうしが接して柄部３を形成している。
【００２２】
反射ミラー９は、少なくとも内周面が鏡面構造の部材であり、例えば、アルミの蒸着鍍金、ニッケル鍍金等したものをパイプ状に加工し、ミラー仕上げすることで形成される。
また、図には示さないが、発光部や、導光部自身にアルミ蒸着鍍金をしてもよい。このような反射ミラー９は、発光部４ａからの入射光を内部で反射して先端部２へと導く。例えば、入射光ｂは反射ミラー９に反射され、出射光ｂｂとして、先端部２先端付近から放出される。
【００２３】
このような反射ミラー９を設けることにより、蓄光部材からの光を効率的に反射・導光でき、より高輝度な光で耳内を照射することが可能となる。
【００２４】
＜変形例２＞
図４は、本考案の第二の実施形態の変形例２に係る耳かき具１ｃの一部断面図である。図４に示すように、耳かき具１ｃは、集光部６が形成された導光部５ａを有している点で、耳かき具１ｂとは異なる。
【００２５】
集光部６は、発光部４ａとの接触面が広くなるよう、導光部５ａの発光部４ａ側の端面の径が短手方向断面で最大となるよう形成された受光面７を備えるものである。これにより、蓄光部材からの光をより多く受光し、耳内を高輝度で照らすことができる。例えば、発光部４ａからの光ｃは受光面７に達すると、先端部２へ導かれて、出射光ｃｃ、ｃｃｃとして出射される。
＜変形例３＞
図５は、本考案の第二の実施形態の変形例３に係る耳かき具１ｄの断面図である。図５に示すように、耳かき具１ｄは、複数の蓄光部材からなる発光部４ｂを有している点で、耳かき具１ｂとは異なる。  
【００２６】
発光部４ｂは、複数の棒状の蓄光部材を束ねた構成を有し、該蓄光部材の各々には、異なる蓄光材料を用いることができる。例えば、発光色の異なるものを用いることで、利用者はさまざまな色の光を楽しむことができる。また、蛍光部材、蓄光部材、及びその混合部材の組み合わせを自由に用いてもよい。
【００２７】
＜変形例４＞
図６は、本考案の第二の実施形態の変形例４に係る耳かき具１ｅの断面図である。図６に示すように、耳かき具１ｅは、その一方の先端に集光部６ａが形成された発光部４ｃを有している点で、耳かき具１ｂとは異なる。
【００２８】
集光部６ａは、発光部４ｃの導光部５との接触端とは逆の先端部分に形成されており、末端の径が円錐状に広がって末端面が凸型曲面形状を有する。このような集光部６ａは、凸型曲面からなる受光面７ａに入射する光（外光）を効率よく集光し、柄部３の内部へと導く。また、反射ミラー９に発光部４ｃの受光面７ａ以外の外周を覆わせることによって、柄部３における外部への放射光が減少し、高効率の導光が可能となる。例えば、受光面７ａに各方向から入射する光ｄ、ｅ、ｆは、反射ミラー９で反射され先端部２から出射光ｄｄ、ｅｅ、ｆｆとして出射される。外光により発光した光や、蓄光した光と、外光を組み合わせた合成光を使用してもよい。
【００２９】
なお、このような耳かき具１ｅは、反射ミラー９によって発光部４ｃが受光面７ａ以外覆われてしまう。従って、蓄光部材の蓄光のために、発光部４ｃを取り外し可能に構成してもよい。以下に、具体的な例を示す
【００３０】
＜変形例５＞
図７（ａ）は、本考案の変形例５に係る耳かき具１ｆの平面図、図７（ｂ）は耳かき具１ｇの分解図である。
【００３１】
図７（ｂ）に示すように、耳かき具１ｆは、反射ミラーが、導光部５と発光部４ｃの先端部２側の一端とを覆う反射ミラー９ａと、集光部６ａ側の一端を覆う反射ミラー９ｂとに分かれている。発光部４ｃは、反射ミラー９ａに着脱自在に勘合し、反射ミラー９ａは導光部５と発光部４ｃとを連結する。これにより、蓄光部材の残光が落ちてきた場合等に、発光部４ｃを本体より切り離してから、外光にかざすなどして蓄光させることができる。また、発光部４ｃの外周面に反射ミラーによって覆われていない部分が存在するため、分解せずとも集光部６ａだけでなく外周面での蓄光も可能となる。これにより、より効率的な蓄光が行われる。反射ミラー９ａは内部を反射ミラーとせずに、導光部５、発光部４ｃの周囲の一部のみを接触させ、その他の部分に隙間を空けて覆う事により、導光部５、発光部４ｃとの空間の外気で全反射させるように構成してもよい。
【００３２】
＜変形例６＞
図８（ａ）は、本考案の変形例６に係る耳かき具１ｇの平面図、図８（ｂ）は耳かき具１ｇの分解図である。
【００３３】
図８（ｂ）に示すように、耳かき具１ｇは、反射ミラーが、導光部５と発光部４ｃの先端部２側の一端とを覆う反射ミラー９ｃと、発光部４ｃの受光面７ｂを除く部分を覆う反射ミラー９ｄと、に分かれている。発光部４ｃは、反射ミラー９ｃに着脱自在に勘合し、反射ミラー９ｃは導光部５と発光部４ｃとを連結する。
【００３４】
また、集光部６ｂの受光面７ｂには、略菱形状の複数の突起が形成されている。これにより、受光面の面積が増大し、より多くの方向からの光を受光することができる。さらに、先端部２は、ループ状の３本のワイヤが導光部５に差し込まれた形状を有しており、例えば入射光ｇは、先端部２周辺の導光部５の露出部分から、出射光ｇｇとして出射される。
【００３５】
以上、本考案に係る耳かき具の各実施形態及び実施例について説明した。本考案に係る耳かき具によれば、電源を必要とすることなく、耳掃除に充分な光量を確保できる。なお、本考案に係る耳かき具は上記に限らず、さらに多くの代替物、修正および変形例が当業者にとって明らかである。
【００３６】
例えば、先端部の形状は上記に限らず、どのような形状を有していてもよい。また、先端部自体が光を放出せずとも、先端部周辺の導光部が照明してもよい。さらに、発光体の位置を、導光部（即ち、先端部周辺）に設けてもよく、全体を蓄光素材から形成することもできる。
【００３７】
また、上記の受光面は柄の軸心と同一上に対称であるが、軸芯に非対称でもよく、受光面が軸心と垂直方向でなくともよい。
【００３８】
なお、上記各実施形態や変形例における各特徴をそれぞれ組み合わせて用いることもできる。
【符号の説明】
【００３９】
１，１ａ〜１ｇ：耳かき具、２：先端部、３：柄部、４，４ａ〜４ｃ：発光部、５，５ａ：導光部、６，６ａ〜６ｂ：集光部、７，７ａ〜７ｂ：集光部、８：散乱部、９，９ａ〜９ｄ：反射ミラー、１０：導光被膜、Ａ：発光体。
【図１】
0003170598.tif 000003
【図２】
0003170598.tif 000004
【図３】
0003170598.tif 000005
【図４】
0003170598.tif 000006
【図５】
0003170598.tif 000007
【図６】
0003170598.tif 000008
【図７】
0003170598.tif 000009
【図８】
0003170598.tif 000010